(57)【特許請求の範囲】
【請求項１】
容器体内の揮散体から揮散した薬剤を当該容器体に設けられた揮散口から揮散する揮散装置において、
前記揮散口を前記容器体に嵌合された嵌合部材に設け、薬剤揮散後の前記揮散体に液状の薬剤を供給する為の供給部を前記揮散口で構成する一方、
前記嵌合部材に設けられた前記揮散口と前記容器体との嵌合部分との間に、該嵌合部分に沿って延在するリブを内側へ向けて突設したことを特徴とする揮散装置。
【請求項２】
前記嵌合部材の天部に内側へ後退した凹部を設け、該凹部の底面に前記揮散口を設けたことを特徴とする請求項１記載の揮散装置。
【請求項３】
前記凹部の前記底面を、その中心に向かうに従って内側に没入する没入形状としたことを特徴とする請求項２記載の揮散装置。
【発明の詳細な説明】
【技術分野】
【０００１】
本発明は、液状成分を揮散する揮散装置に関する。
【背景技術】
【０００２】
従来、室内を消臭及び芳香する際には、揮散装置が使用されていた。
【０００３】
この揮散装置としては、容器体に揮散体として、複数の吸水性樹脂を収容したものが知られており、この吸水性樹脂には、消臭剤や芳香剤などの薬剤が揮散可能に保持されている。
【０００４】
この揮散装置を使用する際には、前記容器体内の前記吸水性樹脂から薬剤を揮散するとともに、揮散した薬剤を前記容器体に設けられた揮散口から外部へ放出することで、薬剤による効果が得られるように構成されている。
【０００５】
このとき、前記薬剤の揮散に伴って前記吸水性樹脂が縮小する。これにより、前記薬剤の残量が分かるとともに、交換時期が分かるように構成されている。
【０００６】
このような揮散装置にあっては、使用後に揮散装置を廃棄しており、容器体等の再利用化が検討されていた。
【０００７】
ここで、蓋体を外して液体薬剤等を供給する詰め替え用容器が一般的に知られており、これを応用して前記容器体に液状薬剤を供給し、薬剤が揮散した吸水性樹脂に液状薬剤を吸収させる再利用方法が考えられる。
【発明の概要】
【発明が解決しようとする課題】
【０００８】
しかしながら、この場合、薬剤を供給する際に蓋の開閉作業が必要となり、手間がかかるという問題が生じてしまう。
【０００９】
また、容器体内に薬剤を供給してから蓋体を取り付ける際に薬剤をこぼしてしまう恐れがある。
【００１０】
本発明は、このような従来の課題に鑑みてなされたものであり、不具合無く再利用を可能とすることができる揮散装置を提供することを目的とするものである。
【課題を解決するための手段】
【００１１】
前記課題を解決するために本発明の請求項１の揮散装置にあっては、容器体内の揮散体から揮散した薬剤を当該容器体に設けられた揮散口から揮散する揮散装置において、前記揮散口を前記容器体に嵌合された嵌合部材に設け、薬剤揮散後の前記揮散体に液状の薬剤を供給する為の供給部を前記揮散口で構成する一方、前記嵌合部材に設けられた前記揮散口と前記容器体との嵌合部分との間に、該嵌合部分に沿って延在するリブを内側へ向けて突設した。
【００１２】
すなわち、容器体に嵌合された嵌合部材には、内部に連通する揮散口が設けられており、この揮散口によって液状の薬剤を容器体内に供給する為の供給部が構成されている。
【００１３】
このため、使用に伴って揮散体に保持された薬剤が揮散した際には、前記容器体に設けられた前記嵌合部材の揮散口から液状の薬剤を前記容器体内に供給することで、当該薬剤を前記容器体内の揮散体に吸収させ保持させることができる。
【００１４】
このとき、前記薬剤には、油性の香料や消臭剤等を可溶化するために界面活性剤が配合されている場合があり、この場合、前記容器体との嵌合部分への浸透力も高まるため、漏れが生じ得る。
【００１５】
しかし、前記嵌合部材には、前記揮散口と前記容器体との嵌合部分との間に、該嵌合部分に沿って延在するリブが内側へ向けて突設されている。このため、前記揮散口より供給された前記薬剤が前記嵌合部材の内側面を伝って前記嵌合部分へ向けて流れた場合であっても、前記リブにより前記嵌合部分側への流れが阻止される。
【００１６】
また、請求項２の揮散装置においては、前記嵌合部材の天部に内側へ後退した凹部を設け、該凹部の底面に前記揮散口を設けた。
【００１７】
すなわち、前記揮散口は、前記嵌合部材に設けられた凹部の底面に開設されている。このため、この揮散口より前記薬剤を供給する際には、前記凹部に一旦貯留された後、前記揮散口を介して前記容器体内に供給される。
【００１８】
さらに、請求項３の揮散装置では、前記凹部の前記底面を、その中心に向かうに従って内側に没入する没入形状とした。
【００１９】
すなわち、前記揮散口が設けられた凹部の底面は、その中心に向かうに従って内側に没入しており、当該凹部内に貯留された薬剤は、中央部に集められる。
【００２０】
また、前記底面の内側面に沿って流れる薬剤の前記嵌合部分側への移動が防止される。
【発明の効果】
【００２１】
以上説明したように本発明の請求項１の揮散装置にあっては、使用に伴って揮散体に保持された薬剤が揮散した場合、容器体に設けられた嵌合部材の揮散口から当該容器体内に液状の薬剤を供給することで、前記容器体内の揮散体に前記薬剤を含浸させ保持させることができる。
【００２２】
これにより、揮散装置の継続使用が可能となり、当該揮散装置の再利用化が可能となる。このため、使用後に揮散装置を廃棄しなければならない場合と比較して、容器体の再利用が可能となり、利便性が向上する。
【００２３】
このとき、前記薬剤を供給する為の前記供給部は、前記嵌合部材に設けられるとともに内部に連通した揮散口によって構成されている。
【００２４】
このため、容器体に設けられた嵌合部材を取り外して薬剤を供給する場合と比較して、嵌合部材の開閉作業が不要となり手間が省ける。
【００２５】
このとき、前記容器体内に薬剤を供給した後、嵌合部材を容器体に取り付ける取付作業が不要となるため、容器体内の薬剤をこぼしてしまうといった不具合を確実に防止することができる。
【００２６】
したがって、不具合無く揮散装置を再利用することができる。
【００２７】
そして、前記嵌合部材の前記揮散口から前記薬剤を供給する際には、前記薬剤が前記嵌合部材の内側面を伝って、当該嵌合部材と前記容器体との嵌合部分へ向けて流れることがある。
【００２８】
このとき、前記嵌合部材には、前記揮散口と前記容器体との嵌合部分との間に、該嵌合部分に沿って延在するリブが内側へ向けて突設されている。
【００２９】
このため、前記揮散口より供給された前記薬剤が前記嵌合部材の内側面を伝って前記嵌合部分へ向けて流れた場合であっても、前記リブにより前記嵌合部分側への流れを阻止することができる。
【００３０】
したがって、界面活性剤が配合された薬剤であっても、前記嵌合部分から外部へ漏れるといった不具合を未然に防止することができる。
【００３１】
また、請求項２の揮散装置においては、前記揮散口は、前記嵌合部材に設けられた凹部の底面に開設されている。
【００３２】
このため、揮散口を介して前記容器体内に供給することができる。これにより、薬剤の供給を容易に行うことができる。
【００３３】
さらに、請求項３の揮散装置では、前記揮散口が設けられた凹部の底面は、その中心に向かうに従って内側へ没入しており、当該凹部内に貯留された薬剤を、その中央部に集めることができる。これにより、凹部外周部からの薬剤の不用意な溢れ出しを未然に回避することができる。
【００３４】
このとき、前記揮散口より内部へ進入した薬剤は、前記底面の内側面に伝って流れるが、当該底面は、その外周部が中央部より高位置となる。このため、前記内側面に伝って流れる前記薬剤の外周部側、すなわち前記嵌合部分側への移動を防止することができる。
【００３５】
これにより、前記薬剤の前記嵌合部分からの漏れを、さらに確実に防止することができる。
【図面の簡単な説明】
【００３６】
【図１】本発明の一実施の形態を示す斜視図である。
【図２】同実施の形態の嵌合部材から蓋部材を取り除いた状態の分解斜視図である。
【図３】同実施の形態の要部の断面図である。
【図４】同実施の形態の要部を拡大した断面図である。
【図５】同実施の形態の蓋部材を底面側から示した斜視図である。
【発明を実施するための形態】
【００３７】
以下、本発明の一実施の形態を図に従って説明する。
【００３８】
図１は、本実施の形態にかかる揮散装置１を示す図であり、該揮散装置１は、芳香剤や消臭剤等の液状の薬剤を揮散するものである。
【００３９】
なお、本実施の形態では、前記薬剤として芳香剤や消臭剤を使用する場合を例に挙げて説明するが、これに限定されるものではなく、防虫剤や殺虫剤などを用いても良い。
【００４０】
この揮散装置１は、鼓形状に形成されており、無色透明の容器体１１を中心に構成されている。該容器体１１の下部には、有色の脚部１２が設けられており、前記容器体１１の上部には、有色の嵌合部材１３が設けられている。
【００４１】
前記容器体１１は、図２（嵌合部材１３から後述する蓋部材１２２を取り除いた状態を図示）及び図３にも示すように、中央部が括れた鼓形状に形成されており、当該容器体１１の上部には、容器本体２１より縮径した首部２２が一体形成されている。該首部２２は、円筒状に形成されており、その上端には、内部に連通した上方開口部２３が開設されている。
【００４２】
これにより、当該容器体１１は、上方へ向けて開口した容器状に形成されており、当該容器体１１の内部空間には、球状の揮散体３１，・・・が複数収容されている。
【００４３】
該揮散体３１は、ポリアクリル酸、イソブチレン−無水マレイン酸共重合体のアルカリ金属塩等の吸水性樹脂に前記薬剤を吸水させたものであり、前記吸水性樹脂は前記液体薬剤を供給した際には、当該薬剤を吸収して大きく膨潤する性質を有する物である。また、吸水性樹脂は、吸水した薬剤が揮散することにより、縮小するものであり、吸収と揮散を繰り返し行うことができるものである。
【００４４】
前記首部２２の外周面には、ストッパ４１が全周に渡って突設されており、該ストッパ４１より上方へ離間した部位には、図２及び図４に示したように、周方向に延在する係止部４２，・・・が等間隔を置いた四ヶ所に突設されている。これにより、各係止部４２，４２の間には、係止部４２を不具備な挿通部４３，・・・が形成されており（図２参照）、前記各係止部４２，・・・と前記ストッパ４１との間には、間隙４４，・・・が形成されている。
【００４５】
この容器体１１の底部には、図２及び図３に示したように、下方へ向けて膨出した下方膨出部５１が中央部に一体形成されており、該下方膨出部５１基端の外周部には、段差面５２が形成されている。また、前記下方膨出部５１の底面５３には、図３に示したように、上方へ向けて後退した後退部５４が形成されている。
【００４６】
この下方膨出部５１の周面には、図２及び図３に示したように、周方向に延在する係合凹部６１，６１が二箇所に形成されており、両係合凹部６１，６１間には、図２に示したように、長さ方向に延在する挿入溝６２，６２が形成されている。
【００４７】
前記脚部１２は、図３にも示したように、筒状に形成されており、その外径寸法が下方へ向かうに従って大きくなるように構成されている。この脚部１２の上縁からは、図２及び図３に示したように、内側へ向けて延在する棚部７１が形成されており、該棚部７１からは、円筒部７２が下方へ向けて延出している。該円筒部７２には、下方へ向けて延出する下方延出部７３，・・・が等間隔をおいた四ヶ所に設けられており、各下方延出部７３，・・・は、十字形状に形成された十字底面部７４を支持している。
【００４８】
相対向する前記下方延出部７３，７３には、内側へ向けて膨出した凸条部８１，８１が長さ方向に形成されており、各凸条部８１，８１は、当該脚部１２を前記容器体１１の前記下方膨出部５１に外嵌して取り付けた状態で、該下方膨出部５１の前記挿入溝６２，６２内に配置され回り止めを形成するように構成されている。
【００４９】
前記円筒部７２には、内側に突出した係合凸部９１，・・・が周方向に延設されており、この係合凸部９１，・・・は、図３にも示したように、当該脚部１２を前記容器体１１の前記下方膨出部５１に外嵌して取り付けた状態で、該下方膨出部５１周面の前記係合凹部６１，６１と係合して抜け止めを形成するように構成されている。この際、当該脚部１２の前記棚部７１には、前記容器体１１の前記段差面５２が支持されるように構成されている。
【００５０】
前記嵌合部材１３は、筒状に形成されており、その外径寸法が上方へ向かうに従って大きくなるように構成されている。この嵌合部材１３の内側は、図２及び図３に示したように、下側を構成する小径の小径部１０１と上側を構成する大径の大径部１０２とで構成されており、前記小径部１０１と前記大径部１０２との間には、載置面１０３が全周に渡って形成されている。前記小径部１０１の内径寸法は、前記容器体１１の前記首部２２に外嵌できる大きさに設定されており、当該小径部１０１の内側面には、図２に示したように、一対の柱部１０４，１０４からなる回り止め１０５，・・・が等間隔を置いた四ヶ所に形成されている。
【００５１】
各回り止め１０５，・・・を構成する一対の柱部１０４，１０４上縁には、支持面１１１，・・・が支持されており、各支持面１１１，・・・は、前記載置面１０３より連続して内側に張り出すように形成されている。前記各回り止め１０５，・・・の間には、図２及び図４に示したように、周方向に延在する被係止部１１２，・・・が形成されている。
【００５２】
これにより、この嵌合部材１３を前記容器体１１に取り付けた際には、前記容器体１１の前記首部２２が前記嵌合部材１３の前記小径部１０１に内嵌するとともに、この内嵌状態で、前記嵌合部材１３の前記回り止め１０５，・・・が前記容器体１１の前記挿通部４３，・・・に配置され、不用意な回転を防止できるように構成されている。また、前記嵌合部材１３の前記各被係止部１１２，・・・は、前記容器体１１の前記ストッパ４１と前記各係止部４２，・・・間の間隙４４，・・・に配置されるように構成されており、前記嵌合部材１３の不用意な離脱を防止できるように構成されている。
【００５３】
この嵌合部材１３の前記大径部１０２には、図４に示したように、周方向に延在する嵌合凹部１２１が全周に渡って形成されているとともに、図１及び図３並びに図４に示したように、蓋部材１２２が嵌着されるように構成されており、該蓋部材１２２は、前記嵌合部材１３と一体化されている。
【００５４】
前記蓋部材１２２は、図４及び図５にも示すように、円板状に形成されており、外周部を構成する鍔部１３１と、該鍔部１３１の内縁より下方に延出した円筒状の内壁部１３２と、該内壁部１３２の下縁を連設した円板状の底面１３３とによって構成されいる。これにより、当該蓋部材１２２は、断面ハット型形状に形成されており、当該蓋部材１２２を備えてなる前記嵌合部材１３の天部には、図１及び図４に示したように、内側へ後退した凹部１３４が形成されている。
【００５５】
この凹部１３４の底部を形成する前記底面１３３は、図３に示したように、板状に形成されるとともに、中心部が下方に突出した断面円弧状に形成されている。これにより、当該底面１３３は、その中心に向かうに従って前記容器体１１の内側へ没入した没入形状に形成されている。
【００５６】
前記蓋部材１２２の前記内壁部１３２の外周面には、図４及び図５に示したように、周方向に延在する嵌合凸部１４１が全周に渡って形成されており、当該蓋部材１２２の前記内壁部１３２を前記嵌合部材１３の前記大径部１０２に内嵌した際に、当該蓋部材１２２の前記嵌合凸部１４１が前記嵌合部材１３の前記嵌合凹部１２１に内嵌して係合した状態で当該蓋部材１２２が前記嵌合部材１３に一体化されるように構成されている。
【００５７】
この一体化状態において、前記嵌合部材１３の前記載置面１０３及び支持面１１１に支持されるとともに前記凹部１３４の底部を構成した前記底面１３３には、図１に示したように、長方形状の揮散口１５１，・・・が複数開設されており、前記容器体１１内の前記揮散体３１，・・・から揮散した薬剤を、前記各揮散口１５１，・・・を介して外部へ拡散できるように構成されている。また、この揮散口１５１，・・・は、前記容器体１１の内部に連通するため、薬剤揮散後の前記揮散体３１，・・・に液状の薬剤を供給する為の供給部１５２が前記揮散口１５１，・・・によって構成されている。
【００５８】
そして、図４に示したように、前記嵌合部材１３を構成する前記蓋部材１２２の前記各揮散口１５１，・・・と、前記容器体１１との嵌合部分１６１との間には、該嵌合部分１６１に沿って延在するリブ１６２が前記容器体１１の内側へ向けて突設されており、当該リブ１６２は、前記底面１３３が前記載置面１０３及び前記支持面１１１に支持された支持部分より内側に設定されている。このリブ１６２は、図５にも示したように、前記底面１３３の全周に渡って形成されており、前記各揮散口１５１，・・・を包囲するようにリング状に形成されている。
【００５９】
以上の構成にかかる本実施の形態において、前記容器体１１に嵌合された嵌合部材１３には、内部に連通する揮散口１５１，・・・が設けられており、この揮散口１５１，・・・によって前記薬剤を前記容器体１１内に供給する為の供給部１５２が構成されている。
【００６０】
このため、使用に伴って揮散体３１，・・・に保持された薬剤が揮散した際には、前記嵌合部材１３の前記揮散口１５１，・・・が構成する前記供給部１５２から前記薬剤を前記容器体１１内に供給することで、当該薬剤を前記容器体１１内の前記揮散体３１，・・・に吸収させ保持させることができる。
【００６１】
これにより、揮散装置１の継続使用が可能となり、当該揮散装置１の再利用が可能となる。このため、使用後に揮散装置１を廃棄しなければならない場合と比較して、前記容器体１１や前記揮散体３１，・・・を構成する本体部材等の再利用が可能となり、利便性が向上する。
【００６２】
このとき、前記薬剤を供給する為の前記供給部１５２は、前記嵌合部材１３に設けられるとともに内部に連通した前記揮散口１５１，・・・によって構成されている。
【００６３】
このため、前記容器体１１に設けられた前記嵌合部材１３を取り外して前記薬剤を供給する場合と比較して、前記嵌合部材１３の開閉作業が不要となり手間が省ける。
【００６４】
このとき、前記容器体１１内に薬剤を供給してから前記嵌合部材１３を前記容器体１１に取り付ける取付作業が不要となるため、嵌合部材１３取付時に前記容器体１１内に供給した薬剤をこぼしてしまうといった不具合を確実に防止することができる。
【００６５】
したがって、不具合無く揮散装置１を再利用することができる。
【００６６】
そして、前記嵌合部材１３の前記揮散口１５１，・・・から前記薬剤を供給した際には、該薬剤が、前記嵌合部材１３の天面、詳細すると当該嵌合部材１３に一体化された蓋部材１２２において、前記底面１３３の内側面を伝って、当該嵌合部材１３と前記容器体１１との嵌合部分１６１へ向けて流れることがある。
【００６７】
このとき、前記薬剤には、油性の香料や消臭剤等を可溶化するために界面活性剤が配合されている場合があり、この場合、前記容器体１１との嵌合部分１６１への浸透力も高まり、当該嵌合部分１６１からの前記薬剤の漏れがより生じ易くなる。
【００６８】
しかし、前記嵌合部材１３には、前記揮散口１５１，・・・と前記嵌合部分１６１との間に、該嵌合部分１６１に沿って延在するリブ１６２が内側へ向けて突設されている。
【００６９】
このため、前記揮散口１５１，・・・より供給された前記薬剤が前記嵌合部材１３の内側面を伝って前記嵌合部分１６１へ向けて流れた場合であっても、当該薬剤を前記リブ１６２にて、前記嵌合部分１６１側への流れを阻止することができ、リブ１６２の先端から前記容器体１１内へ落とすことができる。
【００７０】
したがって、界面活性剤が配合された薬剤であっても、前記嵌合部分１６１から外部へ漏れるといった不具合を確実に防止することができる。
【００７１】
一方、前記揮散口１５１，・・・は、前記嵌合部材１３に設けられた凹部１３４の底面１３３に開設されている。このため、この揮散口１５１を介して、前記容器体１１内に前記薬剤を供給することができる。
【００７２】
また、前記薬剤を勢い良く前記凹部１３４内に注いだ場合であっても、前記凹部１３４を包囲する内壁部１３２を堰として機能させることができる。
【００７３】
したがって、内壁部１３２がない場合と比較して、薬剤をこぼすことなく、前記容器体１１内に容易に供給することができる。
【００７４】
さらに、前記揮散口１５１，・・・が設けられた前記凹部１３４の前記底面１３３は、その中心に向かうに従って内側へ没入しており、当該凹部１３４内に貯留された薬剤を、その中央部に集めることができる。これにより、当該凹部１３４外周部からの薬剤の不用意な溢れ出しを未然に回避することができる。
【００７５】
このとき、前記揮散口１５１，・・・より内部へ進入した薬剤は、前記底面１３３の内側面に伝って流れるが、当該底面１３３は、その外周部が中央部より高位置となる。
【００７６】
このため、当該底面１３３の内側面に伝って流れる前記薬剤の外周部側、すなわち前記嵌合部分１６１側への移動を防止することができる。これにより、前記薬剤の前記嵌合部分１６１からの漏れを、さらに確実に防止することができる。
【符号の説明】
【００７７】
１    揮散装置
１１    容器体
１３    嵌合部材
３１    揮散体
１３３    底面
１３４    凹部
１５１    揮散口
１５２    供給部
１６１    嵌合部分
１６２    リブ
【図１】
0005451585.tif 000002
【図２】
0005451585.tif 000003
【図３】
0005451585.tif 000004
【図４】
0005451585.tif 000005
【図５】
0005451585.tif 000006